(57)【要約】【課題】競輪、競馬、競艇、オートレース等の公営競技（又は公営ギャンブル）の設置及び運営団体が競技（レース等）に関連して寄付を行うのではなく、「それらの競技の勝利投票券を購入した投票者自身のお金である的中券の払戻金」によって、それらの競技に関連して、その競技に係る業界だけでなく他の業界や投票者が望む業界に、投票者が寄付できる仕組みを実施するシステムの開発が望まれていた。【解決手段】本発明は、競輪、競馬、競艇、オートレース等の公営競技（又は公営ギャンブル）の勝利投票券の発売および的中券の払い戻しを行なう公営競技における勝利投票券システムにおいて、競技終了後に、的中券の払戻金から設定された方法で寄付金を算出する及び寄付先投票券を設定された方法で集計する事で、寄付先候補毎の寄付金額を算出する情報処理を実施する専用システムを構築する。【選択図】図１
2012022657.tif 000002
【特許請求の範囲】
【請求項１】
競輪、競馬、競艇、オートレース等の公営競技（又は公営ギャンブル）の勝利投票（例、競馬なら勝ち馬を予想する「馬券」）の投票券の発売および的中（勝利予測）券の払い戻しを行なう公営競技（又は公営ギャンブル）における投票システムにおいて、前記投票券の発売管理、的中券の払い戻し管理を行う集計システムであって、前記勝利投票に付随して寄付を行うことの案内と、前記勝利投票を行う投票者が寄付を行う個別の寄付先の選択ができる寄付先投票券が前記投票権に付いた寄付付き投票権（以下、「寄付付き投票券」という）によって寄付先投票の個別寄付先候補のリスト情報とをホームページに掲載し、前記勝利投票を行う投票者が操作する端末とネットワークを介して接続し、前記投票者から送信されてきた前記寄付先投票券を受付けて記憶部に蓄積する投票券受付手段と、前記勝利投票に係る試合又はレースの結果管理を行うコンピュータシステムから、勝利情報データを受付ける勝利情報データ受付け手段と、前記勝利情報データに基づいて前記記憶部に記憶されている前記寄付先投票券から前記勝利投票の結果後の払戻金の計算を行うは払戻金算出手段と、前記払戻金算出手段で算出された払戻金から、予め前記記憶部に記録されている寄付金計算方法に従って寄付金額を払戻金から差し引いて集計する寄付金集金手段と、前記記憶部に記載された前記寄付先投票券を集計して、寄付先候補毎の投票率に基づく寄付金の分配率を計算する寄付分配率計算手段と、前記寄付金集金手段で集計された寄付金額を、前記寄付率候補毎計算手段によって算出された寄付金の分配率によって寄付金合計額を寄付先候補毎に分配する寄付金分配手段とを具備し、前記勝利情報受付手段が、前記勝利の情報データを受信すると、前記払戻金算出手段で算出された払戻金から、前記寄付金集金手段によって予め前記記憶部に記録されている寄付金計算方法に従って寄付金額を払戻金から差し引いて集計された寄付金合計額を、前記寄付率候補毎計算手段で算出された分配率によって寄付先候補毎に分配する寄付金額を算出すること、を特徴とする、前記競輪、競馬、競艇、オートレース等の公営競技の勝利投票の投票券に係る寄付先投票券の配信及び集計システム。
【請求項２】
前記記憶部に記憶する寄付金計算方法は、個々の前記投票者毎の払戻金額の予め前記勝利投票の投票前に定めた桁数未満の端数金額とすることを特徴とする、請求項１に記載の前記競輪、競馬、競艇、オートレース等の公営競技の勝利投票の投票券に係る寄付先投票券の配信及び集計システム。
【請求項３】
前記記憶部に記憶する寄付金計算方法は、個々の前記投票者毎の払戻金額に予め前記勝利投票の投票前に定めた率を乗じた金額とすることを特徴とする、請求項１又は請求項２に記載の前記競輪、競馬、競艇、オートレース等の公営競技の勝利投票の投票券に係る寄付先投票券の配信及び集計システム。
【請求項４】
前記寄付分配率計算手段において、前記寄付先投票券を集計して寄付先候補毎の投票率に基づく寄付金の分配率を計算する場合に、前記勝利投票において勝利投票の投票券を除いた勝利投票の投票券ではなかった投票券のみの集計によって、寄付先候補毎の投票率に基づく寄付金の分配率を計算することを特徴とする、請求項１ないし請求項３に記載の前記競輪、競馬、競艇、オートレース等の公営競技の勝利投票の投票券に係る寄付先投票券の配信及び集計システム。
【請求項５】
前記寄付金集金手段において、払戻金から寄付金額を差し引く場合において、前記投票券に「寄付金差し引き希望」が、前記勝利投票の主催者又は前記投票者によって記載された前記投票権に係る払戻金に限ること特徴とする、請求項１ないし請求項４に記載の前記競輪、競馬、競艇、オートレース等の公営競技の勝利投票の投票券に係る寄付先投票券の配信及び集計システム。
【請求項６】
前記寄付金集金手段が、払戻金から差し引いて集計する寄付金額に、協賛企業又は広告出稿企業からの協賛金又は広告料金を加えて新たな寄付金額を計算することを特徴とする、請求項１ないし請求項５に記載の前記競輪、競馬、競艇、オートレース等の公営競技の勝利投票の投票券に係る寄付先投票券の配信及び集計システム。
【発明の詳細な説明】
【技術分野】
【０００１】本発明は、競輪、競馬、競艇、オートレース等の公営競技の勝利投票の投票券に付随して実施される寄付先投票を支援するコンピュータ管理システムに関し、特にインターネットに接続されたサーバ及びプログラムに事業運営の大部分を委ねたインターネットによる寄付先投票に係るシステムに関する。
【背景技術】
【０００２】顧客が操作する端末とネットワークを介して通信可能に接続されていて、契約者データを参照して、前記投票した契約者の一定期間内の事故歴の有った契約者によって投票された投票データを投票集計から除外する、又は、一定期間内の事故歴の有った契約者に投票券を与えないアンケート機能付インターネット自動車保険管理サーバ又はプログラムがあった。
【先行技術文献】
【特許文献】
【０００３】
【特許文献１】特許第４２１４１５８号ただし、この前記アンケート機能付インターネット自動車保険管理サーバ又はプログラムは、本発明の発明者が発明し及び本発明の特許出願者が特許出願し特許査定を受けたものである。
【発明の概要】
【発明が解決しようとする課題】
【０００４】競輪、競馬、競艇、オートレース等の公営競技（又は公営ギャンブル）の勝利投票に係る寄付行為は、公営競技（又は公営ギャンブル）のそれぞれの設置及び運営の主旨（それぞれの競技に係る業界の支援資金を作ること）によって、法律上、寄付金を送る等の支援先が限られている。例えば、公営競馬においては、日本中央競馬会法等によって、公営競馬を運営する団体は、勝利投票（勝ち馬を予想する「馬券」）における売り上げからは、基本的には「畜産振興事業等にのみ助成しても良い」と定められていて、それに従って運営されている。これは、結果的に、それらの競技における勝利投票（又は公営ギャンブル）による勝利投票券を購入する投票者のお金は、投票を通して投票した競技にしか社会貢献的な参加ができないことになっている、という事である。そこで、公営競技（又は公営ギャンブル）のそれぞれの設置及び運営する団体から（勝利投票の売り上げから）寄付を行うのではなく、それらの競技における勝利投票（又は公営ギャンブル）による勝利投票券を購入した「投票者自身のお金である勝利投票券の払戻金」によって、それらの競技に係る業界だけでなく、広い業界及び投票者が望む業界に寄付が出来る仕組み及びその仕組みを実施できるコンピュータシステムの開発が望まれていた。【０００５】また、そのような公営競技（又は公営ギャンブル）による勝利投票に係る寄付先投票を行うに際しては、寄付の希望者のみ払戻金から寄付ができる、払戻金額から端数金額だけ寄付したい、払戻金額から定めた率を乗じた金額を寄付した、寄付は払い戻しを受けた投票者が払戻金から行い選ぶのは勝利投票の敗北者とする、又は寄付金にその寄付や公営競技（又は公営ギャンブル）に係る協賛金や広告出稿量も含めて寄付を行いたい、といった寄付先投票に関するそれぞれの運用方法が出来るシステムが望まれていた。
【課題を解決するための手段】
【０００６】前記課題を解決するため、本発明は、競輪、競馬、競艇、オートレース等の公営競技（又は公営ギャンブル）の勝利投票（例、競馬なら勝ち馬を予想する「馬券」）の投票券の発売および的中（勝利予測）券の払い戻しを行なう公営競技（又は公営ギャンブル）における投票システムにおいて、前記投票券の発売管理、的中券の払い戻し管理を行う集計システムであって、前記勝利投票に付随して寄付を行うことの案内と、前記勝利投票を行う投票者が寄付を行う個別の寄付先の選択ができる寄付先投票券が前記投票権に付いた寄付付き投票権（以下、「寄付付き投票券」という）によって寄付先投票の個別寄付先候補のリスト情報とをホームページに掲載し、前記勝利投票を行う投票者が操作する端末とネットワークを介して接続し、前記投票者から送信されてきた前記寄付先投票券を受付けて記憶部に蓄積する投票券受付手段と、前記勝利投票に係る試合又はレースの結果管理を行うコンピュータシステムから、勝利情報データを受付ける勝利情報データ受付け手段と、前記勝利情報データに基づいて前記記憶部に記憶されている前記寄付先投票券から前記勝利投票の結果後の払戻金の計算を行うは払戻金算出手段と、前記払戻金算出手段で算出された払戻金から、予め前記記憶部に記録されている寄付金計算方法に従って寄付金額を払戻金から差し引いて集計する寄付金集金手段と、前記記憶部に記載された前記寄付先投票券を集計して、寄付先候補毎の投票率に基づく寄付金の分配率を計算する寄付分配率計算手段と、前記寄付金集金手段で集計された寄付金額を、前記寄付率候補毎計算手段によって算出された寄付金の分配率によって寄付金合計額を寄付先候補毎に分配する寄付金分配手段とを具備し、前記勝利情報受付手段が、前記勝利の情報データを受信すると、前記払戻金算出手段で算出された払戻金から、前記寄付金集金手段によって予め前記記憶部に記録されている寄付金計算方法に従って寄付金額を払戻金から差し引いて集計された寄付金合計額を、前記寄付率候補毎計算手段で算出された分配率によって寄付先候補毎に分配する寄付金額を算出すること、を特徴とする、前記競輪、競馬、競艇、オートレース等の公営競技の勝利投票の投票券に係る寄付先投票券の配信及び集計システムである。【０００７】かかる構成によれば、公営競技（又は公営ギャンブル）のそれぞれの設置及び運営する団体から（勝利投票の売り上げから）寄付を行うのではなく、それらの競技における勝利投票（又は公営ギャンブル）による勝利投票券を購入した「投票者自身のお金である勝利投票券の払戻金」によって、それらの競技に係る業界だけでなく、広い業界及び投票者が望む業界に寄付が出来る仕組み及びその仕組みを実施できるようになる。【０００８】本発明は、前記記憶部に記憶する寄付金計算方法は、個々の前記投票者毎の払戻金額の予め前記勝利投票の投票前に定めた桁数未満の端数金額とすることを特徴とする、請求項１に記載の前記競輪、競馬、競艇、オートレース等の公営競技の勝利投票の投票券に係る寄付先投票券の配信及び集計システムである。【０００９】かかる構成によれば、公営競技（又は公営ギャンブル）による勝利投票に係る寄付先投票を行うに際して、払戻金額から端数金額だけ寄付することが可能となる。【００１０】本発明は、前記記憶部に記憶する寄付金計算方法は、個々の前記投票者毎の払戻金額に予め前記勝利投票の投票前に定めた率を乗じた金額とすることを特徴とする、請求項１又は請求項２に記載の前記競輪、競馬、競艇、オートレース等の公営競技の勝利投票の投票券に係る寄付先投票券の配信及び集計システムである。【００１１】かかる構成によれば、公営競技（又は公営ギャンブル）による勝利投票に係る寄付先投票を行うに際して、払戻金額から定めた率を乗じた金額を寄付することが可能となる。【００１２】本発明は、前記寄付分配率計算手段において、前記寄付先投票券を集計して寄付先候補毎の投票率に基づく寄付金の分配率を計算する場合に、前記勝利投票において勝利投票の投票券を除いた勝利投票の投票券ではなかった投票券のみの集計によって、寄付先候補毎の投票率に基づく寄付金の分配率を計算することを特徴とする、請求項１ないし請求項３に記載の前記競輪、競馬、競艇、オートレース等の公営競技の勝利投票の投票券に係る寄付先投票券の配信及び集計システムである。【００１３】かかる構成によれば、公営競技（又は公営ギャンブル）による勝利投票に係る寄付先投票を行うに際して、寄付は払い戻しを受けた投票者の払戻金から行い、寄付先を選ぶのは勝利投票の敗北者とすることが可能となる。【００１４】本発明は、前記寄付金集金手段において、払戻金から寄付金額を差し引く場合において、前記投票券に「寄付金差し引き希望」が、前記勝利投票の主催者又は前記投票者によって記載された前記投票権に係る払戻金に限ること特徴とする、請求項１ないし請求項４に記載の前記競輪、競馬、競艇、オートレース等の公営競技の勝利投票の投票券に係る寄付先投票券の配信及び集計システムである。【００１５】かかる構成によれば、公営競技（又は公営ギャンブル）による勝利投票に係る寄付先投票を行うに際して、寄付は払い戻しを受けた投票者又は寄付は払い戻しを受けた投票者の中の寄付金を払戻金から差し引く意思を示した投票者の払戻金から行い、寄付先を選ぶのは勝利投票の敗北者とすることが可能となる。又は、公営競技（又は公営ギャンブル）による勝利投票に係る寄付先投票を行うに際して、寄付の希望者のみ払戻金から寄付ができるようにすることが可能となる。【００１６】前記寄付金集金手段が、払戻金から差し引いて集計する寄付金額に、協賛企業又は広告出稿企業からの協賛金又は広告料金を加えて新たな寄付金額を計算することを特徴とする、請求項１ないし請求項５に記載の前記競輪、競馬、競艇、オートレース等の公営競技の勝利投票の投票券に係る寄付先投票券の配信及び集計システムである。【００１７】かかる構成によれば、前記競輪、競馬、競艇、オートレース等の公営競技の勝利投票の投票券に係る寄付先投票の寄付金を、協賛企業又は広告出稿企業からの協賛金又は広告料金を加えて新たな寄付金額を計算することで、増額することが可能となる。
【発明の効果】
【００１８】本発明によれば、公営競技（又は公営ギャンブル）の勝利投票において、公営競技（又は公営ギャンブル）の設置及び運営する団体から（勝利投票の売り上げから）寄付を行うのではなく、それらの競技における勝利投票（又は公営ギャンブル）の参加者（投票者）の勝利投票券を購入後に得られた「投票者自身のお金である勝利投票券の払戻金」によって、それらの競技に係る業界だけでなく、広い業界及び投票者が望む業界に寄付が出来るようになる。【００１９】また、本発明によれば、そのような公営競技（又は公営ギャンブル）による勝利投票に係る寄付先投票を行うに際して、寄付の希望者のみ払戻金から寄付ができる、払戻金額から端数金額だけ寄付したい、払戻金額から定めた率を乗じた金額を寄付した、寄付は払い戻しを受けた投票者が払戻金から行い選ぶのは勝利投票の敗北者とする、又は寄付金にその寄付や公営競技（又は公営ギャンブル）に係る協賛金や広告出稿量も含めて寄付を行いたい、といった勝利投票に係る寄付先投票のそれぞれのような運用方法が出来るようになる。【００２０】及び、本発明によれば、公営競技（又は公営ギャンブル）による勝利投票に係る寄付先投票が行えることで、公営競技（又は公営ギャンブル）及び公営競技（又は公営ギャンブル）による勝利投票に社会貢献性を付ける事が出来る。そして、それは結果的に公営競技（又は公営ギャンブル）及び公営競技（又は公営ギャンブル）による勝利投票のイメージアップに繋がる。
【図面の簡単な説明】
【００２１】
【図１】競輪、競馬、競艇、オートレース等の公営競技の勝利投票の投票券に係る寄付先投票券の配信及び集計システムの図である。
【図２】競輪、競馬、競艇、オートレース等の公営競技の勝利投票の投票券に係る寄付先投票券の配信及び集計システムの実施形態に係る各処理を示すフローチャートである
【図３】競輪、競馬、競艇、オートレース等の公営競技の勝利投票の投票券の１例の図である。
【発明を実施するための形態】
【００２２】次に、本発明の実施形態について、競輪、競馬、競艇、オートレース等の公営競技の勝利投票の投票券の発売および的中券の払い戻しを行なう公営競技における投票において、本発明のシステムを用いて、寄付先投票を実施する場合について詳細に説明する。及び、適宜図面を参照しながら詳細に説明する。図１は、競輪、競馬、競艇、オートレース等の公営競技の勝利投票の投票券に係る寄付先投票券の配信及び集計システム（１）のブロック図である。
図１に示す前記競輪、競馬、競艇、オートレース等の公営競技の勝利投票の投票券に係る寄付先投票券の配信及び集計システム（１）は、インターネットなどのネットワーク（１２）に接続可能なサーバを中核とし、そのサーバの管理下にあるデータベースを伴って競輪、競馬、競艇、オートレース等の公営競技の勝利投票の投票券に係る寄付先投票を支援するためのコンピュータシステムである。
【００２３】前記競輪、競馬、競艇、オートレース等の公営競技の勝利投票の投票券に係る寄付先投票券の配信及び集計システム（１）は、寄付投票及び寄付先候補情報の表示手段（２）、投票券受付手段（３）、記憶部（４）、勝利情報データ受付手段（５）、払戻金算出手段（６）、寄付金集金手段（７）、寄付分配率計算手段（８）、寄付金分配手段（９）を備えており、これらは前記競輪、競馬、競艇、オートレース等の公営競技の勝利投票の投票券に係る寄付先投票券の配信及び集計システム（１）に配設されたそれぞれのコンピュータプログラム（以下、「プログラム」と略す）を実行することにより機能する。
【００２４】前記競輪、競馬、競艇、オートレース等の公営競技の勝利投票の投票券に係る寄付先投票券の配信及び集計システム（１）がインターネットなどのネットワーク（１２）を介して展開する主な顧客は、パーソナルコンピュータ又は携帯端末を意味する情報端末を用いて競輪、競馬、競艇、オートレース等の公営競技（公営ギャンブル）の勝利投票の投票者（以下「投票者」という）は原則としてインターネットなどの前記ネットワーク（１２）を介して接続された前記競輪、競馬、競艇、オートレース等の公営競技の勝利投票の投票券に係る寄付先投票券の配信及び集計システム（１）に対して、勝利投票の投票者の情報端末（１１）間での情報通信が自在であるとの前提である。
【００２５】図２は、前記競輪、競馬、競艇、オートレース等の公営競技の勝利投票の投票券に係る寄付先投票券の配信及び集計システム（１）の実施形態に係る各処理を示すフローチャートである。
前記競輪、競馬、競艇、オートレース等の公営競技の勝利投票の投票券に係る寄付先投票券の配信及び集計システム（１）の行う情報処理を、図２に沿って、その手順を説明する。
まず、図２のフローチャートの開始の前提として、前記勝利投票の投票者の情報端末（１１）に、図３に１例図を示した競輪、競馬、競艇、オートレース等の公営競技の勝利投票の投票券（１３）が表示されていることとする。尚、前記競輪、競馬、競艇、オートレース等の公営競技の勝利投票の投票券（１３）は、前記勝利投票の投票者の情報端末（１１）に、前記競輪、競馬、競艇、オートレース等の公営競技の勝利投票の投票券に係る寄付先投票券の配信及び集計システム（１）より、インターネットを経由して配信されるようにしても良い。そして、前記投票者は、表示された前記競輪、競馬、競艇、オートレース等の公営競技の勝利投票の投票券（１３）に勝利投票と共に、寄付に関する記載をした上で、インターネットを経由して前記競輪、競馬、競艇、オートレース等の公営競技の勝利投票の投票券に係る寄付先投票券の配信及び集計システム（１）宛てに送信する。これが勝利投票と共に、寄付先投票ともなるのである。そして、前記競輪、競馬、競艇、オートレース等の公営競技の勝利投票の投票券（１３）を受信した前記競輪、競馬、競艇、オートレース等の公営競技の勝利投票の投票券に係る寄付先投票券の配信及び集計システム（１）が、勝利投票と共に寄付先投票の内容を集計するというのが、勝利投票に係る寄付先投票及び寄付金の算出の流れである。
【００２６】前記競輪、競馬、競艇、オートレース等の公営競技の勝利投票の投票券に係る寄付先投票券の配信及び集計システム（１）では、まず、前記競輪、競馬、競艇、オートレース等の公営競技の開始前に、前記勝利投票の投票者の情報端末（１１）よりインターネットなどのネットワーク（１２）を介して送信されてきた前記競輪、競馬、競艇、オートレース等の公営競技の勝利投票の投票券（１３）を、前記投票券受付手段（３）で受信し、前記記憶部（４）で情報データとして保管し、その投票に係る前記競輪、競馬、競艇、オートレース等の公営競技（勝利投票の投票券に係る個別のレース等）の開始を待つのである。尚、この前記投票券受付手段（３）での受信は、投票に係るレース等の定めた日時までで締め切ることと設定する。
【００２７】寄付先投票に係る前記競輪、競馬、競艇、オートレース等の公営競技（勝利投票の投票券に係る個別のレース等）が開催されてその結果（勝利）が決定した後に、その公営競技（勝利投票の投票券に係る個別のレース等）の主催者等が管理する勝利投票に係る試合又はレースの結果管理を行うコンピュータシステム（１０）から、その終了し結果の判明した公営競技（勝利投票の投票券に係る個別のレース等）に係る結果（勝利）データ（１４）が、前記勝利情報データ受付手段（５）に送信されてくる。前記勝利情報データ受付手段（５）はその公営競技（レース等）に係る前記結果（勝利）データ（１４）を、前記払戻金算出手段（６）に送る。前記払戻金算出手段（６）では、送られてきた前記公営競技（レース等）に係る前記結果（勝利）データ（１４）をもとにして、前記記憶部（４）から送られてきた前記結果（勝利）データ（１４）に係る前記勝利投票の投票券（１３）の情報データを全て抽出した上で、払戻金を算出する。その払戻金の算出は、的中券の投票に係る個別の投票者における払戻金額及び総合計の払戻金額が算出される。この競輪、競馬、競艇、オートレース等の公営競技（レース等）の払戻金額の算出は、通常の競輪、競馬、競艇、オートレース等の公営競技（レース等）の払戻金額の算出方法と同様である。及び、通常の競輪、競馬、競艇、オートレース等の公営競技（レース等）の払戻金額の算出はこの段階で終了し、投票者の勝利者に算出した払戻金額が支払われることとなる。尚、この競輪、競馬、競艇、オートレース等の公営競技（レース等）の払戻金の算出は、競輪、競馬、競艇、オートレース等の公営競技（レース等）の主催者等が用いている通常の払戻金の算出システム又は方法でも良い。
【００２８】前記競輪、競馬、競艇、オートレース等の公営競技の勝利投票の投票券に係る寄付先投票券の配信及び集計システム（１）では、寄付投票の特有の情報処理としてこれ以降の処理が始まる。
前記勝利情報データ受付手段（５）は、前記寄付分配率計算手段（８）に前記結果（勝利）データ（１４）を送る。及び、前記寄付分配率計算手段（８）は、前記記憶部（４）から、結果（勝利）データ（１４）に係る勝利投票の投票券（１３）の情報データを全て抽出する。そして、前記寄付分配率計算手段（８）は、まず、その抽出した勝利投票の投票券（１３）の情報データを、前記勝利情報データ受付手段（５）から送られてきた前記結果（勝利）データ（１４）に基づいて、「投票正解データ（的中券）」と「投票不正解データ」に分類する。この場合、予め寄付先を選ぶ権利を勝利投票が外れた投票券（前記投票不正解データ）にのみ与えると設定しされている場合は、勝利投票が外れた投票券（前記投票不正解データ）のみを集計する事とする。そして、寄付先候補毎の投票の集計数を、集計の総合計で除すことで、「寄付先候補毎の投票率」を算出し、寄付金分配手段（９）に送る。
この寄付先候補毎の投票率の算出に係る寄付先候補毎の投票数の集計数は、勝利投票が外れた投票（前記投票不正解データ）についての投票券数を合計しても良いし、又は、勝利投票が外れた投票券（前記投票不正解データ）に記載されている投票された金額（例、競馬なら買った馬券の金額）に比例して合計して算出する事としても良い。
【００２９】また、前記寄付金集金手段（７）では予め寄付金の差し引き方法が一定率と設定されている場合は、設定されている寄付金率を、前記払戻金算出手段（６）で集計された前記払戻金に乗じて、その「寄付金総額」を算出し、前記寄付金分配手段（９）に送る。そして、寄付金の差し引き方法が、「払戻金の端数金額であり、払戻金が１０万円以上の場合は１、０００円未満（下三桁）の端数金額（下三桁）、及び、１０万円未満の場合は１、０００円未満（下三桁）の端数金額（下二桁）」のようにも設定しても良い。例えば、この設定の場合で、払戻金を受けた全ての投票者又は寄付を希望した投票者の払戻金額が、９８，１５３円の場合は５３円が寄付金として払戻金から差し引かれ、１３５、７８９円の場合は７８９円が寄付金として払戻金から差し引かれることとなる。そして、その差し引かれた全ての金額が合計されてこの場合の「寄付金総額」が算出されるのである。
【００３０】また、前記競輪、競馬、競艇、オートレース等の公営競技の勝利投票又は主催者又は実際の個別競技（レース等）への協賛企業又は広告出稿企業からの協賛金又は広告料金を、「寄付金総額」に加えて「新たな寄付総額」を計算することとしても良い。
【００３１】そして、寄付先投票に係る前記競輪、競馬、競艇、オートレース等の公営競技（レース等）に係る前記「寄付先候補毎の投票率」と前記「寄付金総額」を受取った前記寄付金分配手段（９）は、前記「寄付金総額（又は協賛金又は広告料金を加えた新たな寄付総額）」に、前記「寄付先候補毎の投票率」を乗じて、「寄付先候補毎の寄付金額」を算出し、表示することとする。この寄付先候補毎の寄付金額を、前記競輪、競馬、競艇、オートレース等の公営競技（レース等）の主催者等は、勝利投票の投票者が捻出し寄付先を選んだ寄付金として、勝利投票の投票者に代わって、寄付先候補毎に寄付する（支払う）事とするのである。
【００３２】この寄付金は、前記競輪、競馬、競艇、オートレース等の公営競技（レース等）の主催者等から寄付先候補に対して支払われるが、あくまで勝利投票の投票者が投票正解に対応して受取るお金や協賛金や広告料金から支払われているのであり、前記競輪、競馬、競艇、オートレース等の公営競技（レース等）の主催者等自身のお金から支払われたものではない。また、この寄付先候補に支払われる寄付金に、前記競輪、競馬、競艇、オートレース等の公営競技（レース等）の主催者等が自らの寄付金を加えて支払っても良い。この場合については、前記「寄付先候補毎の投票率」に比例して加えても良いし、一律に寄付先候補に平等な金額や率で加えるようにしても良い。
【符号の説明】
【００３３】（１）競輪、競馬、競艇、オートレース等の公営競技の勝利投票の投票券に係る寄付先投票券の配信及び集計システム
（２）寄付投票及び寄付先候補情報の表示手段
（３）投票券受付手段
（４）記憶部
（５）勝利情報データ受付手段
（６）払戻金算出手段
（７）寄付金集金手段
（８）寄付分配率計算手段
（９）寄付金分配手段
（１０）勝利投票に係る試合又はレースの結果管理を行うコンピュータシステム
（１１）勝利投票の投票者の情報端末
（１２）ネットワーク
（１３）競輪、競馬、競艇、オートレース等の公営競技の勝利投票の投票券
（１４）公営競技（レース等）に係る結果（勝利）データ
【図１】
2012022657.tif 000003
【図２】
2012022657.tif 000004
【図３】
2012022657.tif 000005